(57)【特許請求の範囲】
【請求項１】
複数の基地局のうち一つを選択するレシーバであって；それぞれの基地局は所定の位相オフセットを用いて送信される拡散信号を含むパイロット信号を送信するものであり；そのレシーバは、
拡散信号のコピーを生成するように構成された拡散信号発生器と、
前記拡散信号発生器からの前記拡散信号のコピーを受信し、選択された位相オフセットにおける前記拡散信号を出力するように構成された位相オフセットセレクタと、
前記位相オフセットセレクタからの前記拡散信号を受信し、受信信号を前記拡散信号と相関させて、前記受信信号のコンポーネントが前記拡散信号と整列するかどうかを判定するように構成された相関器と、
前記受信信号のコンポーネントと前記拡散信号が整列するまで、前記位相オフセットセレクタに第１の選択された位相オフセットを含む第１の探索アパーチャの範囲内の連続的な位相オフセットで前記拡散信号を出力するよう指示し；前記位相オフセットセレクタに第２の選択された位相オフセットを含む第２の探索アパーチャの範囲内の連続的な位相オフセットで前記拡散信号を出力するよう指示して、前記受信信号のコンポーネントのいずれかが前記拡散信号と整列するかどうかを判定するように構成されたコントロール回路とを備えており、
前記第１の探索アパーチャの範囲内の位相オフセットにおける前記拡散信号と整列した前記受信信号のコンポーネントの強度が最大信号強度より大きい場合に、前記第２の探索アパーチャを第１の探索アパーチャよりも小さくし、さらに最大信号強度を前記整列した前記受信信号のコンポーネントの強度によって更新することを特徴とするレシーバ。
【請求項２】
前記受信信号のコンポーネントと前記拡散信号の整列が、前記基地局からの前記パイロット信号の検出を示すことを特徴とする請求項１に記載のレシーバ。
【請求項３】
前記第２の選択された位相オフセットが、前記第１の選択された位相オフセットと、異なる基地局の間での位相オフセットの差に基いて特定されることを特徴とする請求項１または２に記載のレシーバ。
【請求項４】
異なる基地局の間での位相オフセットが一定間隔で配置されていることを特徴とする請求項１から３の何れか一項に記載のレシーバ。
【請求項５】
前記コントロール回路が、最も大きい受信信号強度をもつ前記受信信号を生成する基地局を選択するように構成されていることを特徴とする請求項１から４の何れか一項に記載のレシーバ。
【請求項６】
前記コントロール回路が、所定のしきい値を下回る受信信号強度のパイロット信号を無視するように構成されていることを特徴とする請求項１から５の何れか一項に記載のレシーバ。
【請求項７】
前記第１の探索アパーチャが、前記第１の選択された位相オフセットを挟んで前後に同数のチップを含むことを特徴とする請求項１から６の何れか一項に記載のレシーバ。
【請求項８】
前記第１の探索アパーチャが、前記第１の選択された位相オフセットを挟んで前後に異なる数のチップを含むことを特徴とする請求項１から６の何れか一項に記載のレシーバ。
【請求項９】
前記第２の探索アパーチャが、前記第２の選択された位相オフセットを挟んで前後に同数のチップを含むことを特徴とする請求項１から８の何れか一項に記載のレシーバ。
【請求項１０】
前記第２の探索アパーチャが、前記第２の選択された位相オフセットを挟んで前後に異なる数のチップを含むことを特徴とする請求項１から８の何れか一項に記載のレシーバ。
【請求項１１】
前記レシーバがCDMA無線レシーバを含むことを特徴とする請求項１から１０の何れか一項に記載のレシーバ。
【請求項１２】
前記コントロール回路が、マイクロ・コントローラを含むことを特徴とする請求項１から１１の何れか一項に記載のレシーバ。
【請求項１３】
前記コントロール回路が、デジタル信号プロセッサを含むことを特徴とする請求項１から１１の何れか一項に記載のレシーバ。
【請求項１４】
前記コントロール回路が、特定用途向けICを含むことを特徴とする請求項１から１１の何れか一項に記載のレシーバ。
【請求項１５】
複数の基地局のうち一つを選択するレシーバであって；それぞれの基地局は所定の位相オフセットを用いて送信される拡散信号を含むパイロット信号を送信するものであり；そのレシーバは、
拡散信号のコピーを生成するように構成された拡散信号発生手段と、
前記拡散信号発生手段からの前記拡散信号のコピーを受信し、選択された位相オフセットにおける前記拡散信号を出力するように構成された位相オフセット選択手段と、
前記位相オフセット選択手段からの前記拡散信号を受信し、受信信号を前記拡散信号と相関させて、前記受信信号のコンポーネントが前記拡散信号と整列するかどうかを判定するように構成された相関手段と、
前記受信信号のコンポーネントと前記拡散信号が整列するまで、前記位相オフセット選択手段に第１の選択された位相オフセットを含む第１の探索アパーチャの範囲内の連続的な位相オフセットで前記拡散信号を出力するよう指示し；前記位相オフセット選択手段に第２の選択された位相オフセットを含む第２の探索アパーチャの範囲内の連続的な位相オフセットで前記拡散信号を出力するよう指示して、前記受信信号のコンポーネントのいずれかが前記拡散信号と整列するかどうかを判定するように構成された制御手段とを備えており、
前記第１の探索アパーチャの範囲内の位相オフセットにおける前記拡散信号と整列した前記受信信号のコンポーネントの強度が最大信号強度より大きい場合に、前記第２の探索アパーチャを第１の探索アパーチャよりも小さくし、さらに最大信号強度を前記整列した前記受信信号のコンポーネントの強度で更新することを特徴とするレシーバ。
【請求項１６】
前記レシーバが、CDMA無線レシーバを含むことを特徴とする請求項１５に記載のレシーバ。
【請求項１７】
前記コントロール手段が、マイクロ・コントローラを含むことを特徴とする請求項１５または１６に記載のレシーバ。
【請求項１８】
前記コントロール手段が、デジタル信号プロセッサを含むことを特徴とする請求項１５または１６に記載のレシーバ。
【請求項１９】
前記コントロール手段が、特定用途向けICを含むことを特徴とする請求項１５または１６に記載のレシーバ。
【発明の詳細な説明】
【０００１】
（発明の属する技術分野）
本発明は、無線通信システム特にデジタル無線トランシーバによる基地局の高速選択に関する。
【０００２】
（発明の背景）
電源をオンにした移動無線トランシーバまたは移動局は、無線ネットワーク上で通信をはじめる前に、無線ネットワーク上の基地局と通信を確立しなければならない。移動局は通常、通信の質を保証するため至近の基地局又は最も強い信号を送信する基地局をサーチする。
【０００３】
CDMA送受話器のような多くのデジタル無線装置は、一般にDSSS(direct sequence spread spectrum)通信として知られている広域帯周波数を通じて伝達信号を拡散するデジタル拡散シーケンスに依存している。一般に、拡散シーケンスは、期間Tで繰り返す２進法装置又はチップである。拡散シーケンスは、リニア・フィードバック・シフトレジスタのような擬似ランダムシーケンス発生器により作られる。
【０００４】
CDMAネットワークのような典型的なDSSSシステムでは、デジタルで一定のシーケンス（例えば、全てが0）を拡散することにより発生したパイロット信号を各基地局が送信する。一般に、一つの拡散シーケンスは、ネットワーク上の全ての基地局のために用いられるが、基地局間にはタイミング・オフセットが存在する。この結果、様々な基地局の拡散シーケンスは、たとえタイムエボリューションが同一であっても時間上整列しない。
【０００５】
至近の基地局と通信を確立するために、移動装置は、まず基地局のパイロット信号を見つけ出さなければならない。この処理では、移動局で発生した拡散シーケンスと基地局で発生した拡散シーケンスが時間上整列すること（不拡散として知られる）が要求される。一般に、移動局は、拡散シーケンスの全ての可能なコード位相（初期条件かタイムオフセット）で信号をサーチし、最も強い信号を送信する基地局と関連づけられたコード位相と整列させることによりこれを行う。
【０００６】
例えば、典型的な無線CDMAネットワークは、２15チップごとに繰り返され２15に区分されたコード位相を持つ拡散シーケンスを用いる。十分に洗練されたサンプリングを保証するため、1/2チップのコード位相のサンプリングが通常要求される。IS-95では、チップレートはおよそ1.23MHzである。このシステムタイプでは、最良の1/2チップのサンプルコード位相を発見するための徹底的なサーチが完了するまでに、およそ3,4秒かかる。他の要因により、この時間が長くなることもある。ほとんどの無線利用者は、このようなサービスの遅延を好ましく思わない。
【０００７】
多くの移動局は、一度にいくつかのコード位相をサーチする複数の相関器を使うことによりサーチ時間を削減しているが、この技術はサーチ経路にかかる電力消費を増大させる。したがって、セットアップでサービスの遅延を削減しようとすれば、さらに回路に電力を供給しなければならず、移動装置のバッテリー寿命も短くなる。
【０００８】
(発明の概要)
さまざまな特徴及びいくつかの実施形態に含まれる本発明は、無線移動装置が近くの基地局（例えば、CDMAの基地局）をサーチする際の検索・獲得時間と電力消費を削減するものである。多くの場合、本発明は、移動装置が一の無線ネットワークから他の無線ネットワーク（例えば、AMPSネットワークからCDMAネットワーク）へ移動する際において、確立した通信の“ハード・ハンドオーバー”をも向上させる。追加信号の処理回路を追加することなく、ほとんどの場面でサーチ時間は少なくとも半減し、最大３０倍まで向上する。この結果、電力供給でバッテリー寿命が削減されることなく、無線利用者はより短い時間でサービスを受けることができる。
【０００９】
ある特徴では、本発明は、無線ネットワークを通じた通信を容易にするため、複数の近くの基地局のうち一つを選択することも含む。各基地局は、多くの可能な位相オフセットのうち一つで送られる拡散信号を含むパイロット信号を送信する。本発明を適用した無線レシーバは、可能な拡散信号の位相オフセットのうち最初の一つを選択し、可能な位相オフセットの連続したオフセットで拡散信号と受信した信号を相関させる。相関は、最初の位相オフセットを選択することで始まり、受信した信号と拡散信号のコンポーネントが整列するまで続けられ、基地局の一つから送信されるパイロット信号の検出結果を表示する。そしてトランシーバは、拡散信号の可能な位相オフセット不連続なオフセットを選択し、受信した信号のいずれか他のコンポーネントが選択された不連続な位相オフセットで拡散信号と整列するかどうかを決定するため、この不連続な位相オフセットで拡散信号と受信した信号を相関する。
【００１０】
ある実施形態では、受信した信号のコンポーネントが、選択した不連続位相オフセットで拡散信号と整列しなければ、レシーバは、受信した信号の他のコンポーネントが拡散信号と整列するまで、不連続の位相オフセットで始まる可能な位相オフセットのうち連続したものと受信した信号を相関する。そして、レシーバは、受信した信号と拡散信号を相関した位相で可能なコード位相のうち他の不連続なものを選択する。一般に、選択された最初の位相オフセットと選択された不連続位相オフセットは、所定の可能な位相オフセットの数にそれぞれ分けられる。CDMAネットワークをはじめとする多くのシステムでは、可能な位相オフセットは等しく一定間隔で配置される。
【００１１】
いくつかの実施形態では、レシーバは、最も大きい受信信号強度を持つパイロット信号を送信する基地局を選択し、所定のしきい値以下の受信信号強度を持つすべてのパイロット信号を無視する。他の実施形態では、可能な位相オフセットのうち不連続なものを選択することに、パイロット信号が生じるだろうと予想される位相で位相オフセットを選択しアパーチャを決定することを含むものとする。アパーチャは、選択した位相オフセットの前の拡散信号の所定のチップ数に始まり、選択した位相オフセットの後の拡散信号の所定のチップ数に終わる。いくつかの実施形態は、選択した位相オフセットの前後の等しいチップ数を有するアパーチャを用い、他の実施形態は選択した位相オフセットの前後で等しくないチップ数を有するアパーチャを用いる。信号は受信信号の伝播遅延を考慮するため、信号はアパーチャを横切って相関される。
【００１２】
一又は二以上の本発明の実施形態の詳細は、以下に添付した図面及び説明において後述する。本発明の他の特徴、目的、利点は、説明もしくは図面及び請求項から明白である。
【００１３】
(発明の詳細な説明)
図１はデジタル無線ネットワーク１０を表したもので、図中の移動局１２は複数の基地局１４A-Dの範囲内にある。電力を供給することで、移動局１２は基地局１４A-Dで発生したパイロット信号をサーチし、パイロット信号を検出することで、至近の基地局１４Aと通信を形成する。CDMAネットワークでは、移動局１２は、基地局がパイロット信号を送信する位相で拡散シーケンスコード位相と移動局がほぼ整列したときに限り、基地局からパイロット信号を検出する。全ての又はほぼ全ての近くの基地局１４A-Dを確実に検出するため、移動局１２はいくつかの選択したコード位相でサーチを行う。選択したコード位相は、各々の選択したコード位相で拡散シーケンスと全ての入力信号を相関したものである。
【００１４】
従来の無線装置と違うのは、移動局１２は可能な全てのコード位相の徹底的なサーチを行わないことである。その代わり、移動局は、選択したコード位相でサーチをはじめたあと、連続したコード位相を一つのパイロット信号が見つかるまでサーチする。移動局は、この手法でパイロット信号を検出するごとに不連続なコード位相へ跳びつづける。特に強いパイロット信号を検出したとき、又は拡散シーケンスの全てのコード位相をサーチしたときには、移動局はサーチを止める。移動局１２は、移動局と最も強いパイロット信号をそろえることにより至近の基地局１４Aと通信を形成する。
【００１５】
移動局はこの手法でサーチでき、一のコード位相から不連続なコード位相へ飛ぶ。なぜなら、基地局のそばでの使用のためにCDMAネットワークから割り当てられた拡散シーケンスコード位相は、一般にわずかだからである。そして、ネットワークは通常、拡散シーケンスを横切って一様かつ個別に一定の間隔に配置されたコード位相を割り当てるからである。例えば、典型的なCDMAネットワークは、可能なコード位相の２15（32,768）のうちわずか512しか割り当てず、割り当てられたコード位相はおよそ６４チップの間隔で配置される。さらに、拡散シーケンスはCDMAネットワークをはじめとする多くの無線システム上の基地局により伝達され、送信することで同期する。基地局と移動局の間の伝播の遅れにより、移動局で起こるわずかな時間の不正確さが生じる。これらの特徴を利用した移動局は、検索・獲得時間、ハード・ハンドオーバー時間、及び電力消費を削減する。
【００１６】
なぜなら、伝播遅延はパイロット信号間の時間の不正確さを引き起こす。そのパイロット信号は、決まったウィンドウ又はアパーチャを通じて移動局がサーチし、パイロット信号が見つかるであろうと期待される位相でそれぞれのコード位相を囲んでいるコード位相のパイロット信号である。移動局が強いパイロット信号を次々に見つけたときは、アパーチャのサイズを小さくする。なぜなら、移動局は、最も強い信号を生成する基地局よりも近くにある基地局から発せられるパイロット信号を獲得すれば十分だからである。基地局が近いほど、伝播遅延は小さくなる。そして、不確実性のウィンドウは比例して削減される。アパーチャ・サイズの定義は、後に詳述する。
【００１７】
図２は、移動局１２の受信回路２０の一般化した概略図である。レシーバ２０は無線周波(RF)アンテナ２２を含む。ラジオ周波数(RF)アンテナ２２は、基地局１４A-Dからアナログ信号を受信し、RFレシーバ２４へ信号を配送する。RFレシーバ２４は入力信号をベースバンドにダウン・コンバートし、ベースバンド信号を自動ゲイン制御(AGC)回路25へ配送する。ローパスフィルタ(LPF)２６は、入力信号のベースバンド要素以外のもの全てをブロックする。アナログ−デジタル変換器２７は、ベースバンド信号をサンプリングし、変換したデジタル信号を検索・獲得ブロック３０へ配送する。
【００１８】
検索・獲得ブロック３０は基地局からのパイロット信号の検索を行う。いくつかの実施例では、検索・獲得処理が移動局と至近の基地局をそろえた後、検索・獲得回路３０が入力データ信号の復調もする。検索・獲得回路３０は少なくとも一つの相関器３２を含む。相関器は、所定の拡散シーケンスの選択されたコード位相でパイロット信号をサーチする。ほとんどのＣＤMAのレシーバは、少なくとも二つの相関器を含む。そして、ベースバンドの同相分（I）とベースバンドの直角分(Q) それぞれの相関器を含む。多くの実施例では、CDMAレシーバ２０は、ベースバンドの同相分（I）とベースバンドの直角分(Q) の二つの相関器を含む。
【００１９】
拡散シーケンスは、PNシーケンス発生器３４により発生する。PNシーケンス発生器３４は、リニア・フィードバック・シフトレジスタ（LFSRs）、ゴールド・コード発生器や、カサミ・コード発生器等のいくつかのタイプのうちいずれかが選択される。コード位相セレクタ３６は、PNコードをシーケンス発生器３４から受け取り、相関器後段の処理ロジック３８により与えられた命令に応じて、可能なコード位相のうち一つを選択してPNシーケンスを相関器３２へ配送する。相関器３２は、ある持続した相関期間でベースバンド信号とPNシーケンスの選択したコード位相を相互に相関する。相関期間は、一般に６４チップである。相互の相関の出力結果は、ベース信号とPNシーケンスの選択したコード位相の整列の程度を示す。
【００２０】
相関器後段の処理ブロック３８は、相互の相関の出力を分析し、入力信号のいずれのコンポーネントが、パイロット信号の一つを構成するPNシーケンスの選択したコード位相と十分に整列するかどうかを決定する。それぞれの相関器間の終わりで、コード位相セレクタ３６は、相関器３２へ配送するため、他の拡散シーケンスのコード位相を選択する。一般に、コード位相セレクタ３６は、分数のチップ（例えば、1/2チップ）によりコード位相をステップする。しかし、一つのコード位相でパイロット信号を遭遇させた後、処理ブロック３８は不連続なコード位相オフセットを選択する。その不連続なコード位相オフセットは、パイロット信号を獲得したコード位相からいくつかの所定のチップ数（例えば、６４チップ）により選択される。
【００２１】
出力推定回路２８は、相互の相関の出力をそれぞれの相関器３２から受け取り、相互の相関の出力のパワーレベルを決定する。出力推定回路２８は、パイロット信号をサーチすることに使用するため、その出力を後述の相関器後段の処理ブロック３８へ配送する。
【００２２】
図３は、基地局から送られるパイロット信号をサーチする際の相関器後段の処理ブロック３８のオペレーションを示したフローチャートである。処理ブロックは、“ピーク”フラッグをクリアし、カウンタを不能にすることによりサーチ処理をはじめる（ステップ１００）。カウンタは、移動局がパイロット信号をサーチするためのアパーチャサイズを確立する。一般に、移動局は、少なくとも一のパイロット信号を得るまで、サーチを特定のサイズのアパーチャに制限しない。よって、まずカウンタを不能にする。“ピーク”フラッグは、パイロット信号を獲得したかどうかを示すものである。この例では、クリアされたフラッグは、まだパイロット信号を獲得していないことを示す。セットされたフラッグは、少なくとも一つのパイロット信号を見つけたことを示す。
【００２３】
次に、処理ブロックは、コード位相セレクタブロック３６に、PNシーケンスを最初に選択したコード位相で相関器３２へ配送するよう伝える（ステップ１０２）。ほとんどの場合、処理ブロック３８は、一定の最初のコード位相をあらかじめ形成する。その一定の最初のコード位相で、移動局は電力を供給されるたびにサーチをはじめる。さらに、処理ブロック３８は、相関器３２に、選択されたコード位相と入力ベースバンド信号を相関し始めるよう伝える（ステップ１０４）。相関期間の終わりで、処理ブロック３８は、相関器からの相関出力を格納した最小値と比較する（ステップ１０６）。相関出力が最小値を超えない場合は、処理ブロック３８は、選択したコード位相でパイロット信号が存在しないと決定する。パイロット信号が存在しないときは、処理ブロック３８は、“ピーク”フラッグがセットされているかどうかを決定する（ステップ１０８）。もし、“ピーク”フラッグがセットされていなければ、処理ブロック３８は、コード位相セレクタ３６に、次の連続したコード位相オフセットへ進んで、相関器３２へPNシーケンスを配送するよう伝える（ステップ１１０）。
【００２４】
そして相関器３２は、他の相関期間を入力する。その間、相関器３２は、PNシーケンスと入力信号を新たに選択したコード位相で相関する（ステップ１０４）。処理ブロック３８は、一つのコード位相のそば又はコード位相の分数と同等のインクリメントにより参照信号をインクリメントし続ける。それは、相互の相関の出力がパイロット信号の存在を示すのに十分大きくなるまで続けられる。処理ブロック３８は、試験的に最初に非常に低い最小値を確立し、どんなにわずかなパイロット信号をも発見できるようにしている。
【００２５】
もし、パイロット信号が選択したコード位相で存在せず（ステップ１０６）且つ“ピーク”フラッグがセットされている（ステップ１０８）と、処理ブロックが決定したならば、少なくとも一つのパイロット信号が見つかったことを示し、処理ブロックはカウンタの値を所定の最大値と比較する（ステップ１１２）。
【００２６】
もし、カウンタの値が最大値よりも小さければ、処理ブロックは、カウンタをインクリメントし（ステップ１１３）、コード位相セレクタに次の連続したコード位相をインクリメントするよう伝える（ステップ１１０）。一方、もしカウンタの値が最大値へ届けば、移動局はパイロット信号を遭遇させることなく、入力したアパーチャを通じてサーチする。この場合、処理ブロック３８はこのコード位相ウィンドウでサーチすることをやめ、後述するようにコード位相セレクタ３６に現在のコード位相から所定のオフセットの別のコード位相へジャンプするよう伝える（ステップ１１４）。
【００２７】
パイロット信号の存在を示すのに十分大きい相互の相関の出力を受信することにより、レシーバは、パイロット信号が選択したコード位相で実際に存在しているかどうか又は代わりに大きい相互の相関の出力が誤警報かどうかを決定する。そうするためにレシーバは、少なくとも一の、通常はそれ以上（例えば2−10）の補足相関期間で選択したコード位相で相関を続ける。もし、補足相関期間の結合した相互の相関の出力が、あるしきい値を超えなければ、処理ブロック３８は誤警報条件を宣言し、上述したようにパイロット信号をサーチし続け、あたかも最小値を越えなかったかのように相互の相関出力を扱う（ステップ１０６）。そうでないと、処理ブロックは“ピーク”フラッグをセットし、獲得したパイロット信号の計測したパワーレベルを格納する（ステップ１１８）。
【００２８】
パイロット信号を選択したコード位相で見つけることで、レシーバは、一又はそれ以上の近くのコード位相で入力信号を相関し、パイロット信号がこれらの近くのコード位相の一つでより強いかどうかを決定する（ステップ１２０）。パイロット信号の多重反射により、一つのコード位相より多いコード位相でパイロット信号はよく大きい相互の相関の出力を発生させる。処理ブロックは、コード位相セレクタに次の相関期間のそれぞれでコード位相の分数によりインクリメントするよう伝えるまでに、これらのコード位相のいずれが最も強い信号を生成するかを決定する。処理ブロックは、最も強い信号を生成するコード位相を基地局の位置として格納する（ステップ１２２）。
【００２９】
レシーバが基地局と関連付けられたコード位相をピンポイントするとすぐ、処理ブロック３８は、所定のしきい値とそのコード位相での相互の相関の出力のパワーレベルを比較する（ステップ１２４）。もし、パワーレベルがしきい値を超えれば、発見した信号は強く、レシーバが他の基地局をサーチするのを停止する（ステップ１２６）。一般に、獲得した基地局が他の基地局よりもレシーバから近いことを保証するため、しきい値が選択される。
【００３０】
獲得した基地局が十分に近くなくサーチを停止しないときは、レシーバはコード位相でサーチしつづける。このコード位相は、獲得した基地局と関連付けられたコード位相からの多数のチップによるオフセットである。上述したように、CDMAネットワークをはじめとする多くの同期した無線ネットワークは、比較的わずかな可能なコード位相を割り当てて均等に分配し、いくつかの所定のチップ数（ここでは“基地局オフセット”または“O”とする）により分離される。これらのネットワークでは、選択したコードで基地局を獲得すれば、レシーバのサーチがこれらの基地局のオフセットコード位相に限られる。これらのコード位相は、多数の基地局のオフセットにより選択したコード位相から分離されている。
【００３１】
しかし、上述したように、基地局とレシーバとの間の伝播遅延は、レシーバにパイロット信号が到着する時間に差を生じさせる。この結果、基地局のパイロット信号をコード位相Kで獲得することで、レシーバはすくにコード位相K+Oへジャンプしない。
【００３２】
そのかわり、選択したチップ長さをもつ“ウィンドウ”又は“アパーチャ”（Δ）をレシーバが作り（ステップ１２８）、コード位相K+O-Δへジャンプする（ステップ１１４）。そして、２Δの間隔を通じてサーチする。もしパイロット信号が見つからなければ、レシーバはコード位相K+２(O)-Δへジャンプし、２Δの間隔を通じてサーチする。不連続なコード位相へジャンプすることで、処理ブロックはカウンタを可能にしてクリアする（ステップ１３０）。最大のカウンタ値（MAX）はアパーチャサイズに合わせて選択される。
【００３３】
いくつかの実施例では、アパーチャサイズは一度確立されるとレシーバにプログラムされる。しかし、レシーバは既に獲得した基地局より遠い基地局を獲得する必要はないため、より効果的な実施例では、レシーバは既に獲得したパイロット信号強度を基礎とするアパーチャを計算する。パイロット信号強度は、相関する基地局からレシーバの距離と直接関係している。そして、それは基地局とレシーバとの間の伝播遅延と直接関係している。一定の長さのパイロット信号を獲得することで、レシーバは、弱いパイロット信号の全てを無視でき、伝播遅延が長い信号の全てを無視したアパーチャサイズをセットできる。この結果、サーチ・獲得処理により、レシーバはこの手法でアパーチャサイズをダイナミックに調整し、ほとんどの状況でより強く基地局からより近い信号を次第に獲得する。レシーバは、サーチ・獲得処理が十分に強いパイロット信号を獲得するか、拡散シーケンスの可能なコード位相の全てをサーチするまで、サーチ・獲得処理を続ける。
【００３４】
図４は、サーチアパーチャのサイズを確立するための技術を表したフローチャートである。上述のように、通常処理ブロックは所定の最初のアパーチャサイズτiで始まる（ステップ１５０）。最初のサイズは一定の最大長さの伝播遅延を考慮して選択される。この長さより長い遅延は、使用する移動局から遠すぎる基地局として関連付けられる。要求されるアパーチャサイズτは移動局と基地局の距離dとおよそ関連する。その式は、τ＝d/cである。cは光速である。同様に、パイロット信号のパワーレベルPは、移動局とパイロット信号を生成する基地局との間の距離に反比例する。よって、処理ブロック３８は、パワーレベルが増大すれば、次の式にしたがってアパーチャサイズを縮小できる。
【００３５】
τ1P1=τ2P2
τ1とP1はそれぞれ、獲得した一のパイロット信号のアパーチャサイズとパワーレベルを意味する。τ2P2はそれぞれ、獲得した他のパイロット信号のアパーチャサイズとパワーレベルを意味する。
【００３６】
新たなパイロット信号を獲得することで、処理ブロック３８は新しく獲得した信号のパワーレベル(Pnew)と既に獲得したパワーレベル(Pold)を比較する（ステップ１５２）。もし(Pnew) が(Pold)を超えない場合は、処理ブロック３８はアパーチャサイズを変更しない（ステップ１５４）。一方、もし(Pnew) が(Pold)を超える場合は、既に遭遇したどの基地局よりも新たに獲得したパイロット信号を生成する基地局のほうが移動局に近いことを、処理ブロックは決定し、これによりアパーチャサイズを調整する。処理ブロックは、式τold Pold〜τnew Pnewにより新たなアパーチャサイズ(τnew)を計算する（ステップ１５６）。そして、処理ブロックは、シグナル・フェイディング等によるパワーレベルの不確実性を考慮した一定値μを加え、アパーチャが小さくなりすぎないようにする（ステップ１５８）。そして、処理ブロックはPnewとτnewを格納し（ステップ１６０）、パイロット信号のサーチを再開する（ステップ１６２）。
【００３７】
本発明は、アナログ電気回路でもデジタル電気回路でも実現でき、コンピュータ・ハードウェア、ファームウェア、ソフトウェアでも実現でき、更にこれらの組み合わせによっても実現できる。いくつかの実施形態の一部は少なくともで知られている。それは、コンピュータプログラム製品でコンピュータプロセッサの実行による機械可読格納装置において明らかに実施されている。プログラム・モジュールに構成された命令の実行、入力データの操作、及び出力の発生によりプロセッサは本発明を実現する。適切なプロセッサには、一般の又は特別の目的をもったマイクロプロセッサー、及びデジタル信号プロセッサ（DSPs）を含む。コンピュータ・プログラムの命令を明らかに実施するために適切な格納装置には、EPROMやEEPROMをはじめとする半導体記憶装置及びフラッシュメモリ・デバイスのような持久記憶装置の全ての形式を含む。例えば、内部ハード・ディスクや取り外し可能ディスクのような磁気ディスク、磁気光ディスク、CD-ROMがある。いくつかの実施形態は、上述の技術の代わりに又はこれに加えて、特別に設計されたASICs(application-specific integrated circuits)により実現される。
【００３８】
本発明の実施形態の数は説明済みであるが、これは、本発明の精神及び範囲から逸脱せずに様々な修正が加えられることを妨げない。例えば、本発明はCDMAネットワークのような直接順編成拡散スペクトル(DSSS)システムにおいて説明されている。しかし、周波数ホップ拡散スペクトル(frequency hopped spread spectrum)システムを含む他の技術においても同様に適用できる。また、本発明は移動局の使用に限定されない。更に、レシーバがサーチするためのアパーチャは、コード位相に対し対象であることを要しない。例えば、レシーバは、一定のコード位相を中心とする２Δのアパーチャを通じてサーチすることを要しない。いくつかの実施形態では、アパーチャは、選択されたコード位相の前の所定のチップ数(Δearly)からはじまり、選択されたコード位相の後の所定のチップ数(Δlate)で終わる。しかし、Δearly≠Δlateであってもよい。したがって、以下の請求項の範囲には他の実施形態も含まれる。
【図面の簡単な説明】
【図１】  無線通信ネットワーク上の基地局の近辺における移動局のブロック図である。
【図２】  無線トランシーバの受信回路の概略図である。
【図３】  無線通信システム上の至近の基地局からの信号をサーチし検出する処理を示したフローチャートである。図面中の整理番号および指示等は、要素等を示す。
【図１】
0004520050.tif 000002
【図２】
0004520050.tif 000003
【図３】
0004520050.tif 000004
【図４】
0004520050.tif 000005